(57)【要約】【課題】  径寸法や本数の異なるケーブルを安定に保持し、かつ一方では保持の際の操作を容易に行うことを可能にしたケーブルクランプを提供する。【解決手段】  保持するケーブルを内挿可能な開口を有する保持枠３１と、保持枠３１に連結されて開口を開閉する蓋片３２とを含む保持部を備えるケーブルクランプであって、保持枠３１の内方に向けて蓋片３２の内面に突出形成されてケーブルを保持枠３１との間に弾接する押圧片３５と、保持枠３１内に設けられて蓋片３２が閉じられたときに押圧片３５の先端部３５ａを掛止するストッパ３６とを備える。ストッパ３６は押圧片３５がケーブルに当接して所定量以上変形されたときに押圧片３５の先端部３５ａがストッパ３６に掛止されない位置に配設する。【選択図】  図１
2012010442.tif 000002
【特許請求の範囲】
【請求項１】
保持するケーブルを内挿可能な開口を有する保持枠と、前記保持枠の一端部に連結されて前記開口を開閉する蓋片とを含む保持部を備えるケーブルクランプであって、前記保持枠の内方に向けて前記蓋片の内面に突出形成され保持枠との間にケーブルを弾接保持する押圧片と、前記保持枠内に設けられて前記蓋片が閉じられたときに前記押圧片の先端部を掛止するストッパとを備え、前記ストッパは前記押圧片が前記保持枠内に内挿されたケーブルに当接して所定量以上変形されたときに当該押圧片の先端部が当該ストッパに掛止されない位置に配設したことを特徴とするケーブルクランプ。
【請求項２】
前記保持枠はコ字状に形成され、前記蓋片は基端部が保持枠の一端部に連結され先端部が保持枠の他端部に係脱可能とされ、前記押圧片は前記蓋片の先端部寄りの位置から基端部に向けて略Ｌ字状に突出され、前記ストッパは前記押圧片が変形されないときに当該押圧片の先端部を蓋片方向に移動しないように掛止する位置に配設していることを特徴とする請求項１に記載のケーブルクランプ。
【請求項３】
前記保持部を電子機器の筐体やシャーシ等に固定するための固定部を備え、前記固定部は、前記シャーシ等に開口した固定穴に挿入されるポストの両側に配設されて当該固定穴に嵌合する一対の嵌合片と、前記シャーシ等の表面に弾接して前記嵌合片の嵌合状態を保持する一対の弾接片と、操作されたときに前記嵌合片を移動して固定穴との嵌合を解除する一対の解除片とを備え、当該固定部が固定状態にあるときに前記解除片の上端部は前記ポスト又は前記保持部の側面に両側から当接されることを特徴とする請求項１又は２に記載のケーブルクランプ。
【発明の詳細な説明】
【技術分野】
【０００１】
本発明は電子機器の筐体やシャーシ等（以下、シャーシと称する）に配設する各種のケーブルを保持するためのケーブルクランプに関し、特に異なる径寸法のケーブルや異なる本数のケーブルを好適に保持することが可能なケーブルクランプに関するものである。
【背景技術】
【０００２】
電子機器のシャーシに配設するケーブルを保持するためにケーブルクランプが用いられているが、このケーブルクランプとして、ケーブルクランプ自身をシャーシに固定するための固定部と、ケーブルを結束状態に保持する保持部とを一体に構成したものが提供されている。例えば、特許文献１では矢じり型スナップと弾性片で取付手段を構成してクランプ自身を筐体や基板に固定させるための固定部を構成している。また、矩形枠状をした本体の一辺部位を開閉可能に構成し、この一辺部位を開いてケーブルを本体に内装するとともに、当該一辺部位を閉じることでケーブルを本体内に保持する保持部を構成している。
【０００３】
このようなケーブルクランプでは、保持部の寸法に対してケーブルの径寸法が小さい場合、あるいはケーブルの本数が少ない場合には保持したケーブルと保持部との間に隙間が生じ、保持部内でケーブルが拘束されることなくいわゆる遊びが生じてしまいケーブルを安定した状態で保持することが難しい。一方、これとは反対に保持部の寸法に対してケーブルの径寸法が大きい場合、あるいはケーブルの本数が多い場合には保持部でケーブルを保持することができず、あるいは保持する際にクランプが変形されることになるため、クランプ操作が困難なものになる。
【先行技術文献】
【特許文献】
【０００４】
【特許文献１】特開２００９−１４１４７号公報
【発明の概要】
【発明が解決しようとする課題】
【０００５】
このような問題に対し、特許文献１では、保持するケーブルの径寸法や本数に対して本体を大きめに形成しておくとともに、本体にはコイルバネで付勢された押板部材を設け、本体に内装したケーブルをコイルバネの弾性力を利用して押板部材と本体との間に挟持させることでケーブルを本体内に安定に保持する技術が提案されている。しかし、特許文献１ではケーブルの本数が多いとき、あるいは径寸法が大きいときにはコイルバネの弾接反発力が大きくなるため、一辺部位を閉じる際の力は大きくなり、閉じる際の操作が困難になるという問題が生じる。すなわち、径寸法が小さいケーブルや本数の少ないケーブルを安定に保持しようとしたときにはコイルバネの変形ストロークを大きく設計する必要があるため、径寸法が大きいケーブルや本数の多いケーブルを保持する際にはコイルバネの弾接反発力が大きくなり過ぎてしまい、これがそのまま一辺部位を閉じる際に必要とされる力となるため、当該閉じる操作が極めて困難なものになる。また、特許文献１のクランプは本体とは別部品のコイルバネと押板部材が必要であり、部品点数が増加するとともに、これらを組み立てるための工数が必要でありケーブルクランプのコスト高を招く原因になる。
【０００６】
本発明の目的は、部品点数を増加することなく径寸法や本数の異なるケーブルを安定に保持し、かつ一方では保持の際の操作を容易に行うことを可能にしたケーブルクランプを提供するものである。
【課題を解決するための手段】
【０００７】
本発明は、保持するケーブルを内挿可能な開口を有する保持枠と、保持枠の一端部に連結されて当該開口を開閉する蓋片とを含む保持部を備えるケーブルクランプであって、保持枠の内方に向けて蓋片の内面に突出形成されて保持枠との間にケーブルを弾接保持する押圧片と、保持枠内に設けられて蓋片が閉じられたときに押圧片の先端部を掛止するストッパとを備え、ストッパは押圧片が保持枠内に内挿されたケーブルに当接して所定量以上変形されたときに当該押圧片の先端部が当該ストッパに掛止されない位置に配設したことを特徴とする。
【０００８】
ここで、保持枠はコ字状に形成され、蓋片は基端部が保持枠の一端部に連結され先端部が保持枠の他端部に係脱可能とされ、押圧片は蓋片の先端部寄りの位置から基端部に向けて略Ｌ字状に突出され、ストッパは押圧片が変形されないときに当該押圧片の先端を蓋片方向に移動しないように掛止する位置に配設している構成とする。
【発明の効果】
【０００９】
本発明によれば、保持枠内に保持するケーブルの本数が少ない場合には蓋片を閉じる動作に伴って押圧片は先端部がストッパにより掛止されるので、押圧片は保持枠内の下方寄りの位置においてケーブルに弾接する。そのため、少ない本数のケーブルでも押圧片により安定に保持することができる。また、ケーブルの本数が多い場合には蓋片を閉じる動作に伴って押圧片の先端部はストッパに掛止されない状態となり、押圧片は保持枠内の上方寄りの位置に移動されてケーブルに弾接するので、押圧片による弾接力は小さくても本数の多いケーブルを保持枠内において安定に保持することができ、かつ蓋片を閉じる際の操作力を軽減することが可能になる。
【図面の簡単な説明】
【００１０】
【図１】実施形態のケーブルクランプを正面斜め上から見た図。
【図２】ケーブルクランプをシャーシに固定した状態の正面図。
【図３】本数の少ないケーブルを保持した状態の正面図。
【図４】本数の多いケーブルを保持した状態の正面図。
【発明を実施するための形態】
【００１１】
次に本発明の実施形態を説明する。図１は本発明のケーブルクランプ１を正面斜め上からみた図である。電子機器の筐体やシャーシ、ここではシャーシ１００に設けられた円形の固定穴１０１に嵌合してケーブルクランプ自身をシャーシ１００に固定するための固定部２と、この固定部２と一体に形成されてシャーシ１００の表面に沿って配設する図には表れないケーブルを保持するための保持部３とを備えている。前記ケーブルクランプ１は樹脂の一体成形で形成しており、そのため前記した固定部２と保持部３は一体に形成され、ケーブルクランプ１を構成する部品点数は１つであり低コストに形成できる。
【００１２】
前記固定部２は厚み寸法が大きくされている上端部２０から下方に向けて所要長さの板状のポスト２１が突出形成され、このポスト２１の下端部には板厚方向の両側に向けて一対の嵌合片２２が逆ハの字状に形成されている。これらの嵌合片２２の先端には前記固定穴１０１の内縁に係合するための段部２２ａが形成されている。また、各嵌合片２２の先端にはそれぞれシャーシ１００の表面に弾接する一対の弾接片２３と、各嵌合片２２をそれぞれ前記ポスト２１に近接する方向に変形させるための一対の解除片２４が連設されている。これら一対の解除片２４は上端部２４ａがそれぞれ内側に向けて曲げられており、前記ポスト２１の上端部２０の両側面に対向配置されている。
【００１３】
前記保持部３は前記ポスト２１の上端部２０の上側に形成されており、上方に向けて開口３１ａした略上向きコ字状をした保持枠３１と、この保持枠３１の一端部に連結されて前記開口３１ａを開閉することが可能な蓋片３２を備えている。前記開口３１ａを通して保持枠３１内に保持しようとするケーブルを内挿し、かつ開口３１ａを蓋片３２で閉じることで保持枠３１と蓋片３２とで無端状の枠を構成し、この枠ないにケーブルを保持することが可能とされている。蓋片３２の開閉を可能にするため、前記蓋片３２は保持枠３１の一端部に連結されている基端部３２ａが局部的に薄肉に形成されて保持枠３１に対する可撓性が付与されている。また、蓋片３２の先端部には係止段部３３ａを有する楔型の係止片３３が形成されており、この係止片３３は保持枠３１の他端部に設けた係止穴３４に圧入され、圧入されたときに係止段部３３ａが係止穴３４の内縁の一部に係止して蓋片３２を保持枠３１に係止することが可能とされている。なお、係止片３３の自由端部を操作することで係止段部３３ａにおける係止穴３４との係止を解除し、蓋片３２の先端部を自由状態にして開動作を可能とし、保持枠３１の開口３ａを開いてケーブルを保持枠３１から引き出すことが可能になる。
【００１４】
また、前記保持部３では、前記蓋片３２の先端部寄りの内面に下方に折り返えされるように所要長さで延びる略Ｌ字型をした一端支持構造の押圧片３５が突出形成されている。この押圧片３５は所要の長さ、ここでは前記保持枠３１の高さ寸法の略１／２程度の長さまで下方に向けられ、そこから蓋片３２の内面に略平行な方向に向けて緩やかに曲げられ、さらに先端部３５ａが保持枠３１の一端部に近接する位置にまで延長されている。
【００１５】
一方、前記保持枠３１の一端部の内面には三角形をしたストッパ３６が内方に向けて突出形成されている。このストッパ３６は保持枠３１の一端部の上端から所要寸法だけ下がった箇所に配設されており、ストッパ３６の上面は略水平に形成され、蓋片３２を閉じて係止状態としたときに蓋片３２の内面との間に当該所要寸法の隙間が確保される。また、ストッパ３６の下面は斜面として形成され前記押圧片３５の先端部３５ａが当接されたときに、当該先端部３５ａを斜面に沿って下方に案内するように構成される。
【００１６】
さらに、この実施形態では保持枠３１の一端部と他端部の各片方の側面にそれぞれ薄肉状の拘束壁３７が設けられている。この拘束壁３７は保持枠３１内においてケーブルが両拘束壁３７で挟まれた領域にのみ内挿されるようにするためのものであり、この拘束壁３７によって保持枠３１の一端部側と他端部側のそれぞれに拘束壁３７の寸法分のスペースが確保されることになり、このスペースにおいて後述するように押圧片３５の移動及び変形が可能とされる。
【００１７】
この実施形態のケーブルクランプ１によれば、図２の一部を破断した正面図に示すように、固定部２の嵌合片２２をシャーシ１００の表面側から固定穴１０１に挿入すると、嵌合片２２は縮径して固定穴１０１の裏面側にまで嵌入し、その後自身の弾性復帰力で拡径してそれぞれの段部２２ａが固定穴１０１の裏面側の内縁に係合する。また、これと同時に一対の弾接片２３がシャーシ１００の表面に弾接し、固定穴１０１内において嵌合片２２を表面側に引き上げようとする力が生じる。そのため、段部２２ａにおける係合力が保持され、嵌合片２２が固定穴１０１から脱落することが防止される。すなわち、ケーブルクランプ１をシャーシ１００に固定することができる。また、このとき解除片２４の上端部２４ａはポスト２１の上端部２０に両側面に当接するので、ポスト２１の傾倒を抑止して安定な固定状態とすることができる。一方、この固定状態において作業者が一対の解除片２４を両側から挟み込んでポスト２１に近接させる方向に移動すべく操作すると、各解除片２４の移動に伴って嵌合片２２が縮径し、それぞれの段部２２ａにおける係合状態が解除されるため、嵌合片２２を固定穴１０１から引き抜くことが可能になり、ケーブルクランプ１をシャーシ１００から取り外すことが可能になる。
【００１８】
一方、保持部３においては、図３（ａ）に示すように、蓋片３２を開いて保持枠３１の開口３１ａを開放し、この開口３１ａから保持枠３１内にケーブルＣを内挿する。その後、蓋片３２を閉じて係止片３３を係止穴３４に係止させることによって保持枠３１の開口３１ａを塞ぎ、保持枠３１内にケーブルＣを保持することができる。このとき、保持するケーブルＣの本数が少ないときには、蓋片３２を閉じて行くと押圧片３５の先端部３５ａはケーブルＣの上面に接することなく、あるいは軽く接しながら保持枠３１の一端部の方向に移動されて行く。そして、蓋片３２を閉じる時点では図３（ｂ）のように、先端部３５ａはストッパ３６の下面に当接される。ストッパ３６は下面が斜面であることから押圧片３５の先端部３５ａは下面に衝接し、上方への移動が拘束されて掛止される状態となる。このとき、保持枠３１の一端部側に設けた拘束壁３７によってストッパ３６の下側にまでケーブルＣが入り込むことがないので、押圧片３５の先端部３５ａはケーブルＣによって邪魔されることなくストッパ３６の下面に確実に当接する。蓋片３２を閉じたときには、押圧片３５は先端部３５ａの移動がストッパ３６により掛止されているので押圧片３５は下方に向けて凸状に撓むように変形されるため、押圧片３５はケーブルＣの上面に弾接し、この弾接力によって保持枠３１の底面との間にケーブルＣを挟持する。押圧片３５の先端部３５ａは保持枠３１の底面に近い位置でストッパ３６により拘束されて変形されるので、ケーブルＣの本数が少なくてケーブルＣの上面位置が保持枠３１内の低い位置にあっても押圧片３５の前記した弾接力を大きなものにでき、ケーブルＣを安定に保持することになる。押圧片３５は独立した状態で変形されるので、押圧片３５の弾接力が大きくても蓋片３２を閉じる際の操作力が大きくなることはない。
【００１９】
一方、図４（ａ）のように、保持するケーブルＣの本数が多いときには、蓋片３２を閉じて行くと押圧片３５の先端は直ぐにケーブルＣの上面に当接される状態になり、上方に変形されながら移動されることになる。そして、図４（ｂ）のように、蓋片３２を閉じる時点では押圧片３５の先端部３５ａは蓋片３２とストッパ３６の上面との間の領域に移動される。最終的には蓋片３２の内面に接する状態になるまで移動され、或いは保持枠３１の内面に接触された状態となる。これにより、押圧片３５はケーブルＣと蓋片３２との間の狭い隙間に収容される状態に変形され、この変形により発生する弾性力によってケーブルＣの上面に弾接され、この弾接力によって保持枠３１の底面との間にケーブルＣを挟持した状態で安定に保持することになる。このとき押圧片３５は先端部３５ａがストッパ３６によって掛止されることなく自由な状態であるのでケーブルＣに対する弾接力は小さくなり、その反力としての蓋片３２を閉じる際の力は少なくて済み、容易に蓋片３２を閉じることができる。なお、保持枠３１の他端部側に設けた拘束壁３７によって保持枠３１とケーブルＣとの間にスペースが確保されており、押圧片３５はこのスペースにおいて変形されることになるので、保持枠３１とケーブルＣとの間の隙間が狭くてもこの隙間に押圧片３５は収容されることが可能である。
【００２０】
このように、保持枠３１内に保持するケーブルＣの本数が少ない場合には蓋片３２を閉じる動作に伴って押圧片３５の先端部３５ａがストッパ３６により掛止された状態で下方に向けて変形されるので、押圧片３５は保持枠３１内の下方寄りの位置においてケーブルＣに弾接する。そのため、少ない本数のケーブルＣを保持枠３１内において安定に保持することができる。このとき、蓋片３２を閉じる際の操作力が大きくなることはない。また、ケーブルＣの本数が多い場合には蓋片３２を閉じる動作に伴って押圧片３５の先端部３５ａがストッパ３６に掛止されない状態となり、押圧片３５は保持枠３１内の上方寄りの位置に移動されてケーブルＣに弾接する。このため、押圧片３５による弾接力は小さくても本数の多いケーブルＣを保持枠３１内において安定に保持することができ、同時に蓋片３２を閉じる際の操作力が大きくなることはない。すなわち、ケーブルＣの本数の多寡にかかわらずケーブルＣを安定に保持し、かつ蓋片３２を閉じる際の操作力を軽減することが可能になる。
【００２１】
以上の実施形態での説明は保持するケーブルの本数が異なる場合であるが、ケーブルの径寸法が異なる場合、すなわち小径のケーブルを保持する場合と大径のケーブルを保持する場合についても押圧片は前述と同様に機能し、いずれのケーブルについても安定な保持が実現でき、また蓋片を閉じる際の操作力を軽減して操作を容易に行うことができることは言うまでもない。
【００２２】
本発明のケーブルクランプは実施形態の形状、構造に限られるものではない。例えば、保持部においては、押圧片はケーブルの本数が少ないときや径寸法が小さいときには先端部が掛止されて弾接力を高め、ケーブルの本数が多いときや径寸法が大きいときには先端部が掛止されることなく弾接力を低減する構成であれば本発明を適用することが可能である。また、保持するケーブルについても、異なる暑さ寸法のフラットケーブルを保持するケーブルクランプや、異なる数のフラットケーブルを重ねて保持するケーブルクランプについても適用することが可能である。同様に、固定部は実施形態の構成のものに限られるものではなく、電子機器の筐体やシャーシにケーブルクランプを固定する構造であれば、ネジによる固定構造や粘着テープによる固定構造の適用も可能である。
【産業上の利用可能性】
【００２３】
本発明は異なる本数や径寸法のケーブルを保持することが要求されるケーブルクランプへの適用が可能である。
【符号の説明】
【００２４】
１  ケーブルクランプ
２  固定部
３  保持部
２１  ポスト
２２  嵌合片
２３  弾接片
２４  解除片
３１  保持枠
３２  蓋片
３３  係止片
３４  係止穴
３５  押圧片
３６  ストッパ
【図１】
2012010442.tif 000003
【図２】
2012010442.tif 000004
【図３】
2012010442.tif 000005
【図４】
2012010442.tif 000006